(57)【要約】【課題】プライバシーを保ちつつ、ユーザの使用形態に合わせてアクセス範囲を変更可能なストレージ機器を提供する。【解決手段】外部機器と接続可能なストレージ装置であり、データを格納する格納手段と、前記外部機器に関する機器情報を取得する機器情報取得手段と、前記外部機器を扱うユーザに関するユーザ情報を取得するユーザ情報取得手段と、前記機器情報取得手段から取得した機器情報と、前記ユーザ情報取得手段から取得したユーザ情報とを用いて、前記格納手段に格納されたデータの中で前記外部機器からアクセス可能なデータを示す表示用リストを生成する表示用リスト生成手段と、前記表示用リスト生成手段により生成された表示用リストを出力する表示用リスト出力手段と、を備える。【選択図】図１
2011204080.tif 000002
【特許請求の範囲】
【請求項１】
外部機器と接続可能なストレージ装置であって、
データを格納する格納手段と、
前記外部機器に関する機器情報を取得する機器情報取得手段と、
前記外部機器を扱うユーザに関するユーザ情報を取得するユーザ情報取得手段と、
前記機器情報取得手段から取得した機器情報と、前記ユーザ情報取得手段から取得したユーザ情報とを用いて、前記格納手段に格納されたデータの中で前記外部機器からアクセス可能なデータを示す表示用リストを生成する表示用リスト生成手段と、
前記表示用リスト生成手段により生成された表示用リストを出力する表示用リスト出力手段と、
を備えることを特徴とするストレージ装置。
【請求項２】
請求項１に記載のストレージ装置は、複数の外部機器に接続可能であって
前記表示用リスト生成手段は、前記複数の外部機器ごとに異なる表示用リストを生成することを特徴とするストレージ装置。
【請求項３】
ファイルおよびフォルダを格納し、接続した１つ以上の外部機器から該格納するファイルおよびフォルダへのアクセスが可能なストレージ装置であって、
該接続した外部機器に関する機器情報を取得する機器情報取得手段と、
該接続した外部機器を扱うユーザに関するユーザ情報を取得するユーザ情報取得手段と、
該接続した外部機器から該格納するファイルおよびフォルダへアクセスするための表示用リストを、該機器情報取得手段から取得した機器情報と、該ユーザ情報取得手段から取得したユーザ情報とを元に、該接続した外部機器ごとに生成する表示用リスト生成手段と、
該接続した外部機器ごとに対応した表示用リストを出力する表示用リスト出力手段と、
を備えることを特徴とするストレージ装置。
【請求項４】
請求項３に記載のストレージ装置において、
前記表示用リストは、前記外部機器がアクセス可能なファイルおよびフォルダの名称とフォルダ構造で構成され、
前記表示用リスト生成手段は、前記機器情報取得手段から取得した機器情報と、前記ユーザ情報取得手段から取得したユーザ情報とを元に、前記接続した外部機器ごとにファイルおよびフォルダの名称とフォルダ構造の異なる表示用リストを生成すること、を特徴とするストレージ装置。
【請求項５】
請求項３または４に記載のストレージ装置において、
前記機器情報取得手段は、前記接続した外部機器を個別に識別するための情報を取得し、
前記表示用リスト生成手段は、前記ストレージ装置が複数の外部機器と接続している際に、ユーザが同一であっても機器単位で異なる表示用リストを生成すること、を特徴とするストレージ装置。
【請求項６】
請求項３または４に記載のストレージ装置において、
前記機器情報取得手段は、前記接続した外部機器の種別を識別するための情報を取得し、
前記表示用リスト生成手段は、前記ストレージ装置が種別の異なる複数の外部機器と接続している際に、ユーザが同一であっても機器の種別単位で異なる表示用リストを生成すること、を特徴とするストレージ装置。
【請求項７】
請求項４に記載のストレージ装置において、
前記表示用リスト生成手段は、前記外部機器がアクセス不能なファイルおよびフォルダの名称およびフォルダ構造がアクセス可能なファイルおよびフォルダの名称およびフォルダ構造から類推可能であるかを判定し、類推可能である場合にアクセス可能なファイルおよびフォルダの名称および構造を自動で変更すること、
を特徴とするストレージ装置。
【請求項８】
請求項３に記載のストレージ装置において、さらに、
前記接続した外部機器ごとに生成する表示用リストの生成方法をユーザが設定するための設定画面を、設定用の外部機器に出力する設定画面出力手段と、
該設定画面出力手段の出力した設定画面に対するユーザの操作を入力するユーザ操作入力手段と、
該ユーザ操作入力手段により入力したユーザの操作をもとに、設定内容を更新し格納するユーザ設定格納手段と、
を備え、
前記表示用リスト生成手段が前記機器情報と前記ユーザ情報を元に表示用リストを生成する際に、該ユーザ設定格納手段の格納する設定内容を用いること、を特徴とするストレージ装置。
【請求項９】
請求項８に記載のストレージ装置において、
前記設定画面において、ユーザが、前記接続した外部機器ごとのファイルおよびフォルダの表示の有無、ないし、前記接続した外部機器ごとのファイルおよびフォルダの名称およびフォルダ構造を、設定可能であること、を特徴とするストレージ装置。
【請求項１０】
接続した１つ以上の外部機器を通じて映像コンテンツの予約録画が可能なストレージ装置であって、
該接続した外部機器に関する機器情報を取得する機器情報取得手段と、
該接続した外部機器を扱うユーザに関するユーザ情報を取得するユーザ情報取得手段と、
該ストレージ装置に録画予定の映像コンテンツの一覧を該接続した外部機器から確認するための録画予定リストを、該機器情報取得手段から取得した機器情報と、該ユーザ情報取得手段から取得したユーザ情報とを元に、該接続した外部機器ごとに生成する録画予定リスト生成手段と、
該接続した外部機器ごとに対応した録画予定リストを出力する録画予定リスト出力手段と、
を備えること、を特徴とするストレージ装置。
【発明の詳細な説明】
【技術分野】
【０００１】
本発明は、複数の外部機器に接続し、外部機器からのファイルおよびフォルダの参照が可能なストレージ装置に関する。
【背景技術】
【０００２】
本技術の背景分野として、例えば特開２００５−１４１３５１号公報（特許文献１）がある。該公報には、「ＯＡ機器内のストレージに保存されているファイルやディレクトリのファイル名やディレクトリ名をＯＡ機器のクライアント端末の画面上に表示する際の新たな表示態様を提案する」を目的とし、「ストレージに保存されているファイル又はディレクトリのファイル名又はディレクトリ名を取得する情報取得手段と、前記情報取得手段により取得されたファイル名又はディレクトリ名を表示する情報表示手段を備える情報処理装置であって、ストレージに保存されているファイル又はディレクトリに係るアクセス権の有無を判断する権限判断手段を備え、前記情報表示手段は、前記情報取得手段により取得されたファイル名又はディレクトリ名の内、前記権限判断手段によりアクセス権が無いと判断されたファイル又はディレクトリのファイル名又はディレクトリ名については、ファイル名又はディレクトリ名の表示を制限する」という技術が開示されている。
【先行技術文献】
【特許文献】
【０００３】
【特許文献１】特開２００５−１４１３５１号
【発明の概要】
【発明が解決しようとする課題】
【０００４】
近年、ＮＡＳ（Ｎｅｔｗｏｒｋ Ａｔｔａｃｈｅｄ Ｓｔｏｒａｇｅ）に代表されるように、パソコンやテレビなどの複数の外部機器と接続してホームネットワークを構築し、データを機器感で共有することが可能な大容量のストレージ機器が普及してきている。それに伴い、同一のストレージ機器を家族や知人間で共有するケースが増えているため、プライバシー保護のために、ファイルへのアクセス権の管理や、ファイルおよびフォルダの表示方法の制御がより重要となってきている。
【０００５】
上記特許文献１では、ＯＡ機器を扱うユーザのアクセス権限をもとにファイル又はフォルダへのアクセス可否を判定し、アクセスできないファイルやフォルダを非表示にする方法が開示されている。一方で、ホームネットワークにおいては、一つのストレージ機器に対し、複数の種類の外部機器でファイルにアクセスする可能性がある。そのため、例えば同一のユーザであっても、個人で占有するＰＣと家族で共有するテレビでは閲覧可能なファイルの範囲を変えたい、といったように、ユーザ単位だけでなく外部機器単位でもファイルのアクセス権や表示方法を制御できることが好ましい。
【０００６】
そこで、本発明では、プライバシーを保ちつつ、ユーザの使用形態に合わせてアクセス範囲を変更可能なストレージ機器を提供することを目的とする。
【課題を解決するための手段】
【０００７】
上記目的は特許請求の範囲に記載の発明により達成される。
【発明の効果】
【０００８】
本発明によれば、プライバシーを保ちつつ、ユーザの使用形態に合わせてアクセス範囲を変更可能なストレージ機器を提供することができる。
【図面の簡単な説明】
【０００９】
【図１】本発明の第１実施例に係るストレージ装置を示す第一の模式図である。
【図２】本発明の第１実施例に係る表示用リストの生成方法の一例を示す第１の図である。
【図３】本発明の第１実施例に係る表示用リストの生成方法の一例を示す第２の図である。
【図４】本発明の第１実施例に係る表示用リストの自動補正方法の一例を示す図である。
【図５】本発明の第１実施例に係るストレージ装置を示す第二の模式図である。
【図６】本発明の第１実施例に係る表示用リストの生成方法の設定画面の一例を示す第１の図である。
【図７】本発明の第１実施例に係る表示用リストの生成方法の設定画面の一例を示す第２の図である。
【図８】本発明の第２実施例に係るストレージ装置を示す模式図である。
【図９】本発明の第２実施例に係る録画予定リストの生成方法の一例を示す図である。
【発明を実施するための形態】
【００１０】
以下、図面を用いて本発明の実施例を説明する。
【実施例１】
【００１１】
図１は、本発明の第１実施例に係るストレージ装置を示す第一の模式図である。図１において、０１０１は機器情報取得部、０１０２はユーザ情報取得部、０１０３は表示用リスト生成部、０１０４は表示用リスト出力部である。
【００１２】
図１に示したストレージ装置において、機器情報取得部０１０１は、イーサネット（登録商標）やＵＳＢ等を通じて接続した外部機器に関する情報を取得する。ここで、外部機器とは、パソコンやテレビなど、ストレージ装置内に格納する文書データや映像データなどを参照して、閲覧や編集などを行うことの可能な機器を指す。また、接続した外部機器に関する情報とは、例えば、ＭＡＣアドレスや予め割り当てた固定ＩＰアドレスのようにその機器に固有の情報や、機器の製品名称ないしパソコンやテレビといった機器の種別に関する情報など、複数の外部機器に接続した場合に異なる外部機器同士を識別するための情報を指す。
【００１３】
機器情報取得部０１０１は、外部機器との接続に用いる通信プロトコルの範囲内で取得可能な、外部機器に関する情報を取得する。例えば、ＵＰｎＰ（Ｕｎｉｖｅｒｓａｌ Ｐｌｕｇ ａｎｄ Ｐｌａｙ）（登録商標）では、ネットワーク上に存在する機器の名称と、その機器に自動的に割り当てられたＩＰアドレスとを取得することが可能である。このとき、機器情報取得部０１０１が、予め、機器の名称やＩＰアドレスとその他の外部機器に関する情報、すなわち機器の種別や機器の設置位置などの情報との対応表を格納し、機器の名称やＩＰアドレスを取得したときに対応表を参照してその他の情報を取得する形態としても良い。この対応表をユーザが設定できるようにしても良い。
【００１４】
ユーザ情報取得部０１０２は、接続した外部機器を扱うユーザに関する情報を取得する。ここで、接続した外部機器を扱うユーザに関する情報とは、例えば、接続した外部機器を通じてストレージ装置内にアクセスする際のログイン名や、格納する文書データや映像データなどを閲覧または編集する際のユーザに付随するアクセス権限など、複数のユーザアカウントが存在する際にユーザ同士を識別するための情報を指す。ユーザに関する情報の取得は、例えば、ユーザが接続した外部機器を通じてストレージ装置内にアクセスする際に、ログイン名の入力や生体認証などによるユーザ認証を行うことで可能である。
【００１５】
表示用リスト生成部０１０３は、機器情報取得部０１０１より取得した接続した外部機器に関する情報と、ユーザ情報取得部０１０２より取得した接続した外部機器を扱うユーザに関する情報とを用いて、ユーザが外部機器を通じてストレージ装置内のデータを参照しようとしたときに、外部機器上の映像表示端末に表示される、参照可能なファイルの一覧を示す表示用リストを生成する。ここで、表示用リストは、参照可能なファイルやファイルの格納されているフォルダの名称、および、フォルダ構造などの情報を含み、ＸＭＬファイルなどの形式で出力され、接続した外部機器のインタフェースに沿って、例えばツリー構造などで表示されることで、ユーザが目的のファイルを参照可能とするためのリストを指すものとする。
【００１６】
表示用リスト生成部０１０３は、予め用意された表示用リスト生成用の設定に従って、接続した外部機器ごと、および、ユーザごとの２軸に対応した表示用リストをそれぞれ生成する。表示用リスト生成用の設定は、メーカ側で初期設定として特定のプリセットを用意しても良いし、ユーザが自分で設定できるようにしても良い。ユーザによる設定方法については図５を用いて後述する。
【００１７】
また、表示用リストを生成する際に、テレビのように複数の人間で共有する外部機器では、プライバシー保護のため一部のファイルへのアクセスやファイルの表示をしないようにすることが考えられる。このとき、例えば連番でつけられたファイルの一部を表示しないときのように、他のファイル名やフォルダの構造などから、他のユーザが表示しないファイルやフォルダの存在を類推することが可能である場合がある。この場合は、表示用リスト生成部が、他のファイルやフォルダの名称、およびフォルダ構造を自動で補正することで、表示しないファイルやフォルダの存在を他のユーザが類推できないようにして、さらなるプライバシー性向上を図っても良い。表示用リストの自動補正方法については、図４を用いて後述する。
【００１８】
表示用リスト出力部０１０４は、ユーザが使用している外部機器に対し、対応する表示用リストを出力する。出力した表示用リストは、接続した外部機器のインタフェースに従って、接続した外部機器の映像表示端末上に表示されることで、ユーザはインタフェースを操作して、参照可能なファイルの中から目的のファイルを探して閲覧および編集を行うことが可能となる。表示用リストは、接続した外部機器を扱うユーザのアクセス権限だけでなく、接続した外部機器によっても変わるため、よりプライバシー性やセキュリティ性の高いファイルへのアクセス権限の管理や外部機器での表示の制御を行うことが可能となる。
【００１９】
なお、表示用リスト生成部０１０３が表示用リストを生成するタイミングとしては、例えば、ユーザがある外部機器を通じてストレージ装置に対し、認証によるログインを経てアクセスした時に行えばよい。その他、ストレージ装置に接続した外部機器を増設した場合や、ストレージ装置に格納するファイルを増やした場合などに、全てのユーザおよび外部機器にそれぞれ対応した表示用リストを更新する形態をとっても良いし、ストレージ装置に対するアクセスが少なく処理負荷の小さいときに、現在使用している表示用リスト以外の表示用リストを生成する形態としても良い。
【００２０】
図２は、本発明の第１実施例に係る表示用リストの生成方法の一例を示す第１の図である。表示用リストの生成は、表示用リスト生成部０１０３で行われる。
【００２１】
図２において、０２０１は自室におかれた１つ目のテレビ、０２０２は居間におかれた２つ目のテレビであり、図２（ａ）は自室におかれたテレビ０２０１にストレージ装置で生成した表示用リストが表示されている様子、図２（ｂ）は居間におかれたテレビ０２０２にストレージ装置で生成した表示用リストが表示されている様子である。
【００２２】
表示用リスト生成部０１０３は、自室におかれたテレビ０２０１と、居間におかれたテレビ０２０２を、機器情報取得部０１０１によって取得したＩＰアドレス等の情報をもとに識別し、それぞれに対応した表示用リストを生成する。この例では、ストレージ装置に格納されている動画Ａから動画Ｄの４つの動画ファイルのうち、動画Ｄはプライベートなファイルでありプライバシー性が高いため、家族や知人で共有する居間のテレビ０２０２では表示しないように、表示用リストを生成している。動画Ｄを居間のテレビ０２０２で表示しないようにするための設定は、図５で後述する設定方法に従って、ユーザが予め行っておけば良い。
【００２３】
これにより、同じユーザがストレージ装置にアクセスした場合でも、個人で閲覧することを前提としたファイルは自室のテレビ０２０１のみで閲覧可能とし、居間のテレビでは閲覧不能とすることで、よりプライバシー性やセキュリティ性の高いストレージ装置におけるファイルの共有が可能となる。
【００２４】
図３は、本発明の第１実施例に係る表示用リストの生成方法の一例を示す第２の図である。表示用リストの生成は、表示用リスト生成部０１０３で行われる。図３において、０３０１は自室におかれたパソコン、０３０２は居間におかれたテレビであり、図３（ａ）は自室におかれたパソコン０３０１にストレージ装置で生成した表示用リストが表示されている様子、図３（ｂ）は居間におかれたテレビ０３０２にストレージ装置で生成した表示用リストが表示されている様子である。
【００２５】
本例では、図２に示した表示用リストの生成方法と異なり、表示用リスト生成部０１０３は、機器情報取得部０１０１によって取得した情報をもとに、パソコンやテレビといった機器の種別単位で識別を行い、表示用リストを生成している。これにより複数のパソコンや複数のテレビで同一のストレージ機器を共有している際に、接続した外部機器ごとに逐一表示用リストの生成方法を設定しておく必要がないため、操作の手間を低減することが可能である。
【００２６】
図４は、本発明の第１実施例に係る表示用リストの自動補正方法の一例を示す図である。表示用リストの生成は、表示用リスト生成部０１０３で行われる。図４において、図４（ａ）はパソコンで閲覧したときの表示用リストにおけるフォルダ構造、図４（ｂ）はテレビで閲覧したときの自動補正前の表示用リストにおけるフォルダ構造、図４（ｃ）はテレビで閲覧したときの自動補正後の表示用リストにおけるフォルダ構造である。
【００２７】
この例では、表示用リスト生成部０１０３において、パソコンで表示可能なファイルのいくつかをプライベートなファイルであるとして、テレビでは表示不可であるように表示用リストを生成するよう設定されていたとする。すなわち、フォルダ１のイメージ０３とフォルダ２のイメージ０１がプライベートな画像ファイルであるとして、テレビでは表示されないようにする。しかし、例えば画像ファイルなどは連番でファイル名が付けられていることが多いため、図４（ｂ）のように、単純に表示しないファイルを隠すだけでは、テレビを一緒に見ている別のユーザからは連番の途中のファイルが欠けていることから、意図的にファイルを表示しないようにしていることが類推できてしまう。そのため、図４（ｃ）のように、連番を付け直すことで、別のユーザが表示しないファイルの存在を類推することができないように補正することが可能である。
【００２８】
表示用リスト生成部０１０３は、表示しないファイルやフォルダについて、他のファイルやフォルダの名称やフォルダ構造から類推可能であるかを判定する。この判定処理は、例えばファイル名が連番であるなど規則性が認められる場合には容易に行うことができる。また、単純なアルゴリズムで容易に規則性を見出すことが困難な場合は、ニューラルネットワークのような認識処理を用いて判定を行っても良い。もし、表示しないファイルの存在が類推可能であると判定した場合は、他のファイルやフォルダの名称およびフォルダ構成を補正して、すなわち、例えば連番を付け直すなどの処理を行うことで、類推ができないようにする。
【００２９】
これにより、一部のファイルを非表示にしていることが他のユーザからは類推困難となり、プライバシー性やセキュリティ性を向上することができる。なお、例えば、録画したテレビ番組のファイル名に入っている番組の話数のように、その数字自体に意味のあることが明白な場合は、連番の途中が欠けていても補正を行わないようにしてもよい。それにより、一部のファイルを非表示にしているのでなく、元から存在しない場合に誤った補正を行うことを防ぐことができる。また、表示しないファイルやフォルダの存在を類推することが自動の認識処理では困難な場合は、ユーザが手動で設定した補正後のファイルやフォルダの名称およびフォルダ構造を参照して補正を行うようにしても良い。
【００３０】
図５は、本発明の第１実施例に係るストレージ装置を示す第二の模式図である。図５において、０１０１は機器情報取得部、０１０２はユーザ情報取得部、０１０３は表示用リスト生成部、０１０４は表示用リスト出力部、０５０５は設定画面出力部、０５０６はユーザ操作入力部、０５０７はユーザ設定格納部である。
【００３１】
図５に示したストレージ装置において、機器情報取得部０１０１、ユーザ情報取得部０１０２、表示用リスト生成部０１０３、表示用リスト出力部０１０４については、図１に示したストレージ装置と同一である。また、表示用リスト生成部０１０３における表示用リストの生成方法をユーザが設定するために、設定画面出力部０５０５、ユーザ操作入力部０５０６、ユーザ設定格納部０５０７を加えた構成となっている。以下、ストレージ装置にユーザが設定を行うための設定用の外部機器を接続した場合の例を用いて説明する。
【００３２】
図５に示したストレージ装置において、設定画面出力部０５０５は、ユーザ情報取得部０１０２より設定用の外部機器を扱うユーザに関する情報を取得し、そのユーザに対応した、表示用リストの生成方法を設定するための設定画面を生成して、設定用の外部機器に出力する。
【００３３】
ここで、表示用リストの生成方法の設定項目としては、生成する表示リストごとにおける、ストレージ装置内のファイルの表示の有無の設定や、ファイルやフォルダの名称およびフォルダ構造の設定などがある。出力した設定画面は、設定用の外部機器のインタフェースに従って、設定用の外部機器の映像表示端末上に表示されることで、ユーザはインタフェースを操作して、表示用リストの生成方法の設定を行うことが可能となる。また、設定画面は、例えばＨＴＭＬファイルやＸＭＬファイルなどの形式で設定用の外部機器に出力され、設定用の外部機器上のブラウザソフト等を用いることで閲覧可能なデータのことを指す。あるいは、パソコン上の専用のクライアントソフトに対応したフォーマットのデータでも構わない。設定画面の具体的な例については、図６および図７を用いて後述する。
【００３４】
ユーザ操作入力部０５０６は、設定画面出力部０５０５の出力した設定画面に対し、設定用の外部機器に接続されたマウスやキーボードなどの入力インタフェースを用いてユーザが操作を行った際の操作情報を取得する。ユーザ設定格納部０５０７は、ユーザ操作入力部０５０６によって入力したユーザ操作を元に、表示用リストの生成方法の設定を更新し、記録媒体に格納する。記録媒体としては、例えば内蔵するフラッシュメモリ等の不揮発性のメモリやハードディスクでも良いし、ＳＤカードや光ディスクなどに記録して、複数のストレージ装置間で設定を共有できるようにしても良い。
【００３５】
表示用リスト生成部０１０３は、ユーザ設定格納部０５０７に格納された設定に基づき、接続した外部機器ごとに対応した表示用リストを生成する。これにより、ユーザは細かいレベルで、外部機器ごとのファイルのアクセス権限の管理や表示方法の制御を行うことが可能となる。
【００３６】
図６は、本発明の第１実施例に係る表示用リストの生成方法の設定画面の一例を示す第１の図である。設定画面の生成は、設定画面出力部０５０５で行われる。図６（ａ）はストレージ装置内のファイルに対するアクセス権限を外部機器ごとに設定するための設定画面の例、図６（ｂ）はストレージ装置内のファイルに対するアクセス権限を外部機器の種別ごとに設定するための設定画面の例である。
【００３７】
図６（ａ）の例では、アクセス権限を制御するための設定画面において、設定を行うユーザがアクセス権限を持つ全てのファイルの一覧を縦軸とし、ストレージ装置に接続された外部機器の一覧を横軸としたマトリクスを表示し、外部機器ごとの各ファイルのアクセス権ないしファイル表示の有無をユーザ選択できるようにしている。これにより、ユーザは、機器単位、ファイル単位で細かく表示リストにおけるファイル表示の有無を設定することが可能である。また、図６（ｂ）では、ストレージ装置に接続可能な外部機器の種別の一覧を横軸としている。これにより、ユーザはパソコン単位、テレビ単位といった大きな括りでも表示リストにおけるファイル表示の有無を設定することが可能であり、操作性の向上を図ることができる。また、外部機器の種別ごとに設定を行えば、新しい外部機器をストレージ装置に接続したときに改めて設定を行う必要がないという利点がある。
【００３８】
図７は、本発明の第１実施例に係る表示用リストの生成方法の設定画面の一例を示す第２の図である。設定画面の生成は、設定画面出力部０５０５で行われる。
【００３９】
図７の例では、ファイルやフォルダの名称およびフォルダ構成の表示方法を外部機器ごとに変更するための設定画面において、２つ以上の外部機器におけるファイルやフォルダの名称およびフォルダ構成を並べて表示し、ユーザが変更できるようにしている。これにより、表示しないファイルの存在を他のユーザが類推することを防止することができ、簡単にプライバシー性やセキュリティ性の向上を図ることができる。また、複数のフォルダ構成を並べて表示することで、外部機器ごとに同一のファイルに異なる名称を付けた場合でも対応付けを行うことが容易にできる。そのため、例えばテレビで閲覧したある画像ファイルをパソコン上のメールで送信する必要がある場合に、対応するファイルをパソコン上で探すことが可能となり、操作性が向上する。
【００４０】
かように本実施例によれば、ストレージ装置に接続する外部機器とユーザに応じて、アクセス可能なファイルおよびフォルダの表示方法を制御することで、プライバシー性やセキュリティ性の向上を図ることが可能である。
【実施例２】
【００４１】
図８は、本発明の第２実施例に係るストレージ装置を示す模式図である。図８において、０８０１は機器情報取得部、０８０２はユーザ情報取得部、０８０３は録画予定リスト生成部、０８０４は録画予定リスト出力部である。本例で示すストレージ装置は、接続した外部機器などから操作を行うことで、テレビ番組の予約録画が可能な、録画予約機能を有するストレージ装置に関するものである。
【００４２】
図８に示したストレージ装置において、機器情報取得部０８０１は、イーサネットやＵＳＢ等を通じて接続した外部機器に関する情報を取得する。ここで、外部機器とは、パソコンやテレビなど、ストレージ装置内に格納する文書データや映像データなどを参照して、閲覧や編集などを行うことの可能な機器であり、また、ストレージ装置にテレビ番組の予約録画を行ったり、ストレージ装置内の録画予約状況を表示したりする機能に対応した機器を指す。また、接続した外部機器に関する情報とは、例えば、ＭＡＣアドレスや予め割り当てた固定ＩＰアドレスのようにその機器に固有の情報や、機器の製品名称ないしパソコンやテレビといった機器の種別に関する情報など、複数の外部機器に接続した場合に異なる外部機器どうしを識別するための情報を指す。
【００４３】
機器情報取得部０８０１は、外部機器との接続に用いる通信プロトコルの範囲内で取得可能な、外部機器に関する情報を取得する。例えば、ＵＰｎＰ（Ｕｎｉｖｅｒｓａｌ Ｐｌｕｇ ａｎｄ Ｐｌａｙ）では、ネットワーク上に存在する機器の名称と、その機器に自動的に割り当てられたＩＰアドレスとを取得することが可能である。このとき、機器情報取得部０８０１が、予め、機器の名称やＩＰアドレスとその他の外部機器に関する情報、すなわち機器の種別や機器の設置位置などの情報との対応表を格納し、機器の名称やＩＰアドレスを取得したときに対応表を参照してその他の情報を取得する形態としても良い。この対応表をユーザが設定できるようにしても良い。
【００４４】
ユーザ情報取得部０８０２は、接続した外部機器を扱うユーザに関する情報を取得する。ここで、接続した外部機器を扱うユーザに関する情報とは、例えば、接続した外部機器を通じてストレージ装置内にアクセスする際のログイン名や、格納する文書データや映像データなどを閲覧または編集する際のユーザに付随するアクセス権限など、複数のユーザアカウントが存在する際にユーザどうしを識別するための情報を指す。ユーザに関する情報の取得は、例えば、ユーザが接続した外部機器を通じてストレージ装置内にアクセスする際に、ログイン名の入力や生体認証などによるユーザ認証を行うことで可能である。
【００４５】
録画予定リスト生成部０８０３は、機器情報取得部０８０１より取得した接続した外部機器に関する情報と、ユーザ情報取得部０８０２より取得した接続した外部機器を扱うユーザに関する情報とを用いて、ユーザが外部機器を通じて現在ストレージ装置内にて録画予約を行っている番組を確認しようとしたときに、外部機器上の映像表示端末に表示される、録画予定の番組の一覧を示す録画予定リストを生成する。ここで、録画予定リストは、録画を予定している番組のチャンネルや録画日時、録画画質などの情報を含み、ＸＭＬファイルなどの形式で出力され、接続した外部機器のインタフェースに沿って表示されることで、ユーザが予約状況を確認することを可能とするためのリストを指すものとする。
【００４６】
録画予定リスト生成部０８０３は、予め用意された録画予定リスト生成用の設定に従って、接続した外部機器ごと、および、ユーザごとの２軸に対応した録画予定リストをそれぞれ生成する。録画予定リスト生成用の設定は、メーカ側で初期設定として特定のプリセットを用意しても良いし、ユーザが自分で設定できるようにしても良い。ユーザによる設定方法については図５で示した表示用リストの生成方法の設定と同様に行うことができ、ユーザが外部機器ごとに録画を予定している番組ないしジャンル等のリスト上の表示を設定できるようにすれば良い。
【００４７】
録画予定リスト出力部０８０４は、ユーザが使用している接続した外部機器に対し、対応する録画予定リストを出力する。出力した録画予定リストは、接続した外部機器のインタフェースに従って、接続した外部機器の映像表示端末上に表示されることで、ユーザはインタフェースを操作して、現在のストレージ装置における録画予約状況を確認することが可能となる。録画予定リストは、接続した外部機器を扱うユーザのアクセス権限だけでなく、接続した外部機器によっても変わるため、よりプライバシー性の高い表示の制御を行うことが可能となる。
【００４８】
なお、録画予定リスト生成部０８０３が表示用リストを生成するタイミングとしては、例えば、ユーザがある外部機器を通じてストレージ装置に対し、認証によるログインを経てアクセスした時に行えばよい。その他、ストレージ装置に接続した外部機器を増設した場合や、予約録画を追加した場合などに、全てのユーザおよび外部機器にそれぞれ対応した録画予定リストを更新する形態をとっても良いし、ストレージ装置に対するアクセスが少なく処理負荷の小さいときに、録画予定リストを生成する形態としても良い。
【００４９】
図９は、本発明の第２実施例に係る録画予定リストの生成方法の一例を示す図である。録画予定リストの生成は、録画予定リスト生成部０８０３で行われる。図９において、０９０１は自室におかれたパソコン、０９０２は居間におかれたテレビであり、図９（ａ）は自室におかれたパソコン０９０１にストレージ装置で生成した録画予定リストが表示されている様子、図９（ｂ）は居間におかれたテレビ０９０２にストレージ装置で生成した表示用リストが表示されている様子である。
【００５０】
録画予定リスト生成部０８０３は、自室におかれたパソコン０９０１と、居間におかれたテレビ０９０２を、機器情報取得部０８０１によって取得したＩＰアドレス等の情報をもとに識別し、それぞれに対応した録画予定リストを生成する。この例では、ユーザ１が録画を予約した番組Ａから番組Ｃの３つのテレビ番組のうち、番組Ｃはプライベート性が強いとして、家族や知人で共有する居間のテレビ０９０２では表示しないように、録画予定リストを生成している。これにより、同じユーザがストレージ装置にアクセスした場合でも、個人で閲覧することを前提とした録画予約の一覧は自室のパソコン０９０１のみで閲覧可能とし、居間のテレビでは閲覧不能とすることで、よりプライバシー性の高いストレージ装置における予約録画を行うことが可能となる。
【００５１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【００５２】
以上説明したように、ストレージ機器にアクセスするユーザのアクセス権限に関する情報と、アクセスしている外部機器に関する情報とを組み合わせて用いてファイルのアクセス権や表示方法を制御する。これにより、複数の人間が同時にファイルを閲覧する際のプライバシー性が向上することができる。
【００５３】
また、ホームネットワークで用いられるストレージ装置に本発明を適用する場合を例に説明したが、これに限定するものではなく、会社や公共施設で用いられる業務用のストレージ装置に適用しても良い。
【符号の説明】
【００５４】
０１０１  機器情報取得部
０１０２  ユーザ情報取得部
０１０３  表示用リスト生成部
０１０４  表示用リスト出力部
０２０１  自室におかれた１つ目のテレビ
０２０２  居間におかれた２つ目のテレビ
０３０１  自室におかれたパソコン
０３０２  居間におかれたテレビ
０５０５  設定画面出力部
０５０６  ユーザ操作入力部
０５０７  ユーザ設定格納部
０８０１  機器情報取得部
０８０２  ユーザ情報取得部
０８０３  録画予定リスト生成部
０８０４  録画予定リスト出力部
０９０１  自室におかれたパソコン
０９０２  居間におかれたテレビ
【図１】
2011204080.tif 000003
【図２】
2011204080.tif 000004
【図３】
2011204080.tif 000005
【図４】
2011204080.tif 000006
【図５】
2011204080.tif 000007
【図６】
2011204080.tif 000008
【図７】
2011204080.tif 000009
【図８】
2011204080.tif 000010
【図９】
2011204080.tif 000011